(57)【要約】【課題】空気砲等に残留する芳香成分を流出させることなく消臭する。【解決手段】空気砲１２，１３に対して芳香成分を供給する際には、芳香成分が含浸された多孔質体４０ａを配管２１に対向させるように回動板４０が回動される。この状態のもとで、空気砲１２，１３を作動させることにより、空気砲１２，１３から芳香成分を含んだ渦輪Ｖ１，Ｖ２が発射される。そして、渦輪Ｖ１，Ｖ２が発射されると、配管２１，３０に貫通孔４０ｃを対向させるように回動板４０が回動され、オゾン発生部３３によってオゾンが生成されるとともに、空気砲１２，１３から空気を吸引するように送風ファン３１が駆動される。これにより、放出口１２ｃ，１３ｃから取り込まれた空気が、配管２１、芳香供給部２０、配管３０、送風ファン３１、配管３２を経てオゾン発生部３３に案内され、この案内された芳香成分を含む空気に対して消臭効果を有するオゾンが供給される。【選択図】図５
2008212357.tif 000002
【特許請求の範囲】
【請求項１】
芳香成分を含んだ空気渦を放出口から発射する発射手段と、
前記発射手段に接続され、前記放出口から前記発射手段内に空気を吸引する吸引手段と、
前記発射手段に接続され、前記発射手段内に吸引された空気が案内される消臭手段とを有することを特徴とする芳香成分消臭装置。
【請求項２】
請求項１記載の芳香成分消臭装置において、
前記発射手段と前記消臭手段との間に設けられ、前記発射手段に前記芳香成分を供給する芳香供給手段を有し、
前記吸引手段は、前記放出口から前記芳香供給手段を介して前記消臭手段に空気を案内することを特徴とする芳香成分消臭装置。
【請求項３】
請求項１または２記載の芳香成分消臭装置において、
前記消臭手段はオゾンを発生させるオゾン発生手段であることを特徴とする芳香成分消臭装置。
【発明の詳細な説明】
【技術分野】
【０００１】
本発明は、芳香成分を消臭する芳香成分消臭装置に関する。
【背景技術】
【０００２】
車室内の環境を良好に保つため、芳香成分をエアコンディショナの吹き出し口から供給する供給装置が提案されている。しかしながら、吹き出し口から芳香成分を供給してしまうと、車室内に芳香成分が充満することになるため、多量の芳香成分が必要となるばかりか、各乗員の好みに応じた車内環境を提供することが困難となっていた。
【０００３】
そこで、芳香成分を含んだ渦輪を乗員に向けて発射するための空気砲を備えた供給装置が提案されている。これにより、芳香成分を局所的に供給することができるため、少量の芳香成分を用いて各乗員の好みに応じた車内環境を提供することが可能となる。また、複数の芳香成分を切り換えて供給するようにした供給装置も提案されている(たとえば、特許文献１または２参照)。
【特許文献１】特開２００６−２８０７４８号公報
【特許文献２】特開２００４−２９８６０７号公報
【発明の開示】
【発明が解決しようとする課題】
【０００４】
ところで、複数の芳香成分を切り換えて供給しようとすると、空気砲のチャンバー等において異なる芳香成分が混ざり合うことから、芳香成分の種類によっては乗員に不快感を与えるという問題があった。そこで、特許文献２に記載の供給装置にあっては、空気砲のチャンバー内に光触媒である酸化チタンを塗布するとともに、チャンバー内に紫外線ランプを取り付けることにより、装置内に残留する芳香成分を消臭するようにしている。
【０００５】
しかしながら、光触媒を利用して芳香成分を消臭するようにしても、空気砲には渦輪を放出する放出口が形成されることから、この放出口を介して車室内に芳香成分が流出してしまうおそれがある。このように、単に空気砲内の空気を消臭するだけでは、空気砲から芳香成分を流出させてしまうおそれがあるため、装置内に残留する芳香成分を十分に消臭することが困難となっていた。
【０００６】
本発明の目的は、残留する芳香成分を効果的に消臭することが可能な芳香成分消臭装置を提供することにある。
【課題を解決するための手段】
【０００７】
本発明の芳香成分消臭装置は、芳香成分を含んだ空気渦を放出口から発射する発射手段と、前記発射手段に接続され、前記放出口から前記発射手段内に空気を吸引する吸引手段と、前記発射手段に接続され、前記発射手段内に吸引された空気が案内される消臭手段とを有することを特徴とする。
【０００８】
本発明の芳香成分消臭装置は、前記発射手段と前記消臭手段との間に設けられ、前記発射手段に前記芳香成分を供給する芳香供給手段を有し、前記吸引手段は、前記放出口から前記芳香供給手段を介して前記消臭手段に空気を案内することを特徴とする。
【０００９】
本発明の芳香成分消臭装置は、前記消臭手段はオゾンを発生させるオゾン発生手段であることを特徴とする。
【発明の効果】
【００１０】
本発明によれば、放出口から発射手段内に取り込まれた空気を消臭手段に案内するようにしたので、発射手段内に残留する芳香成分を放出口から外部に流出させることなく消臭することが可能となる。
【発明を実施するための最良の形態】
【００１１】
以下、本発明の実施の形態を図面に基づいて詳細に説明する。図１は芳香成分供給装置１０(以下、供給装置という)が搭載された車両を示す説明図であり、図２(Ａ)および(Ｂ)は供給装置１０の作動状態を示す説明図である。また、図示する供給装置１０には、本発明の一実施の形態である芳香成分消臭装置が組み込まれている。
【００１２】
図１に示すように、車室内のインストルメントパネル１１には、運転席側の乗員Ｄと助手席側の乗員Ｐとに芳香成分を供給する供給装置１０が設置されている。図２(Ａ)および(Ｂ)に示すように、供給装置１０には芳香成分を含んだ空気の渦輪(空気渦)Ｖ１，Ｖ２を発射する一対の空気砲(発射手段)１２，１３が設けられており、この供給装置１０は運転席側位置と助手席側位置とに回動するようになっている。図２(Ａ)に示すように、供給装置１０を運転席側位置に回動させて空気砲１２，１３から渦輪Ｖ１，Ｖ２を発射させることにより、運転席側の乗員Ｄに向けて芳香成分を供給することが可能となっている。一方、図２(Ｂ)に示すように、供給装置１０を助手席側位置に回動させて空気砲１２，１３から渦輪Ｖ１，Ｖ２を発射させることにより、助手席側の乗員Ｐに向けて芳香成分を供給することが可能となっている。
【００１３】
なお、空気砲１２から発射される渦輪Ｖ１と空気砲１３から発射される渦輪Ｖ２とは、乗員Ｄ，Ｐの鼻先に設定される効能領域Ａ１，Ａ２において互いに衝突するようになっており、芳香成分を効能領域Ａ１，Ａ２で拡散させることが可能となる。このように、一対の渦輪Ｖ１，Ｖ２を衝突させて渦輪Ｖ１，Ｖ２を打ち消すことにより、乗員Ｄ，Ｐに対して風圧による違和感を与えることなく芳香成分を供給することが可能となっている。また、双方の渦輪Ｖ１，Ｖ２に対して芳香成分を含めるようにしているが、いずれか一方の渦輪Ｖ１，Ｖ２に対して芳香成分を含めるようにしても良い。
【００１４】
続いて、図３(Ａ)および(Ｂ)は空気砲１２，１３の内部構造を示す説明図であり、図４は供給装置１０の構成を示すブロック図である。図３(Ａ)および(Ｂ)に示すように、空気砲１２，１３は、伸縮自在となる蛇腹形状のポンプ本体１２ａ，１３ａと、ポンプ本体１２ａ，１３ａを伸縮させるポンプ駆動部１２ｂ，１３ｂと、放出口１２ｃ，１３ｃを備えた円筒形状の砲身部１２ｄ，１３ｄとによって構成されている。また、ポンプ駆動部１２ｂ，１３ｂには前後進駆動されるロッド部材１２ｅ，１３ｅが組み込まれており、このロッド部材１２ｅ，１３ｅはポンプ駆動部１２ｂ，１３ｂ内の図示しない電動モータによって駆動される。そして、図３(Ｂ)に示すように、ロッド部材１２ｅ，１３ｅを前進移動させてポンプ本体１２ａ，１３ａを急速に縮めることにより、ポンプ本体１２ａ，１３ａ内の空気を放出口１２ｃ，１３ｃから渦輪Ｖ１，Ｖ２として発射することが可能となる。なお、空気砲１２，１３の砲身部１２ｄ，１３ｄに対して芳香成分を供給することにより、空気砲１２，１３から芳香成分を含んだ渦輪Ｖ１，Ｖ２を発射させることが可能となっている。
【００１５】
続いて、図４に示すように、供給装置１０には、空気砲１２，１３に芳香成分を供給する芳香供給部(芳香供給手段)２０が設けられており、この芳香供給部２０は配管２１を介して空気砲１２，１３の砲身部１２ｄ，１３ｄに接続されている。この芳香供給部２０には、それぞれに異なる芳香成分が含浸された複数の多孔質体が設けられており、後述する制御ユニット２２からの制御信号に基づき多孔質体と配管２１との対向状態が切り換えられている。このように、多孔質体と配管２１との対向状態を切り換えることにより、空気砲１２，１３に対して供給する芳香成分の種類を切り換えることが可能となる。なお、図示する芳香供給部２０にあっては、セラミックやスポンジ等の多孔質体から芳香成分を拡散させることにより、空気砲１２，１３に対して芳香成分を供給しているが、これに限られることはなく、芳香成分の供給流路を切り換える電磁バルブや、空気砲１２，１３に芳香成分を圧送する圧送ポンプを組み込むようにしても良い。
【００１６】
また、空気砲１２，１３のポンプ駆動部１２ｂ，１３ｂを駆動制御するため、供給装置１０には駆動電流を制御する空気砲駆動回路２３が設けられており、この空気砲駆動回路２３は後述する制御ユニット２２からの制御信号に基づき制御されている。そして、空気砲駆動回路２３からの駆動電流をポンプ駆動部１２ｂ，１３ｂに供給することにより、ロッド部材１２ｅ，１３ｅを押し出して渦輪Ｖ１，Ｖ２を発射させることが可能となっている。さらに、供給装置１０を運転席側位置と助手席側位置とに回動させるため、供給装置１０には回動モータ２４が組み付けられている。この回動モータ２４に対して駆動電流を供給するため、供給装置１０には駆動電流を制御するモータ駆動回路２５が設けられており、このモータ駆動回路２５は後述する制御ユニット２２からの制御信号に基づき制御されている。
【００１７】
前述した空気砲１２，１３、芳香供給部２０、回動モータ２４等に対して制御信号を出力するため、供給装置１０には制御ユニット２２が設けられている。この制御ユニット２２は、図示しないマイクロプロセッサ(ＣＰＵ)を備えており、このＣＰＵにはバスラインを介してＲＯＭ、ＲＡＭおよびＩ／Ｏポートが接続される。ＲＯＭには制御プログラムや各種マップデータなどが格納されており、ＲＡＭにはＣＰＵで演算処理したデータが一時的に格納されている。さらに、制御ユニット２２には、芳香成分の種類や渦輪Ｖ１，Ｖ２の発射モード等を設定するために操作されるスイッチ２６、乗員Ｄ，Ｐの鼻部位置を検出する図示しない車内カメラ等が接続されている。そして、制御ユニット２２は、スイッチ２６の操作信号等に基づいて各種制御信号を演算し、芳香成分の種類や渦輪Ｖ１，Ｖ２の発射モード等を制御することになる。
【００１８】
続いて、供給装置１０に組み込まれた芳香成分消臭装置の消臭機能について説明する。前述したように、乗員のスイッチ操作等に応じて複数の芳香成分が切り換えられることから、切換前の芳香成分と切換後の芳香成分との混合を回避するため、供給装置１０には空気砲１２，１３や芳香供給部２０を消臭する消臭機能が組み込まれている。まず、図４に示すように、それぞれの芳香供給部２０には配管３０を介して吸引手段としての送風ファン３１が接続されており、この送風ファン３１には配管３２を介して消臭手段としてのオゾン発生部(オゾン発生手段)３３が接続されている。また、送風ファン３１に対して駆動電流を供給するため、供給装置１０には駆動電流を制御するファン駆動回路３４が設けられており、このファン駆動回路３４は制御ユニット２２からの制御信号に基づき制御されている。さらに、オゾン発生部３３に対して高圧電流を供給するため、供給装置１０には高圧電流を制御する高電圧発生回路３５が設けられており、この高電圧発生回路３５は制御ユニット２２からの制御信号に基づき制御されている。
【００１９】
ここで、図５(Ａ)および(Ｂ)は供給装置１０の作動状態を示す説明図であり、(Ａ)には空気砲１２，１３に対して芳香成分を供給する芳香供給モードが示され、(Ｂ)には空気砲１２，１３および芳香供給部２０に残留する芳香成分を消臭する装置消臭モードが示されている。まず、図５(Ａ)および(Ｂ)に示すように、芳香供給部２０は配管２１と配管３０との間に設けられる回動板４０によって構成されている。この回動板４０には、芳香成分Ａを含浸させた多孔質体４０ａと、芳香成分Ｂを含浸させた多孔質体４０ｂとが設けられるとともに、配管２１と配管３０とを連通する貫通孔４０ｃが形成されている。乗員のスイッチ操作等に応じて回動板４０を所定角度で回動させることにより、芳香供給部２０は、配管２１に対して多孔質体４０ａを対向させる第１芳香供給位置、配管２１に対して多孔質体４０ｂを対向させる第２芳香供給位置、そして配管２１，３０に対して貫通孔４０ｃを対向させる装置消臭位置に切り換えられるようになっている。また、オゾン発生部３３は、針状の放電電極３３ａと環状の対向電極３３ｂとによって構成されており、放電電極３３ａと対向電極３３ｂとに高電圧を印加して、放電電極３３ａの先端近傍で無声放電を生じさせることにより、消臭効果を有するオゾン(Ｏ３)を発生させることが可能となっている。
【００２０】
空気砲１２，１３に芳香成分Ａを供給する第１芳香供給モードにあっては、図５(Ａ)に示すように、芳香供給部２０の回動板４０を第１芳香供給位置に作動させ、所定の芳香成分Ａが含浸された多孔質体４０ａを配管２１に対向させる。これにより、多孔質体４０ａから拡散する芳香成分Ａが配管２１を介して空気砲１２，１３の砲身部１２ｄ，１３ｄに供給されることになる。この状態のもとで、空気砲１２，１３のポンプ駆動部１２ｂ，１３ｂを駆動することにより、所定の芳香成分Ａを含んだ渦輪Ｖ１，Ｖ２が空気砲１２，１３から発射されることになる。同様に、空気砲１２，１３に芳香成分Ｂを供給する第２芳香供給モードにあっては、芳香供給部２０の回動板４０を第２芳香供給位置に作動させ、所定の芳香成分Ｂが含浸された多孔質体４０ｂを配管２１に対向させることになる。
【００２１】
そして、渦輪Ｖ１，Ｖ２を発射した後に、供給装置１０は空気砲１２，１３や配管２１に残留する芳香成分を消臭する装置消臭モードを実行する。図５(Ｂ)に示すように、装置消臭モードを実行する際には、配管２１，３０に貫通孔４０ｃを対向させる装置消臭位置に回動板４０が回動されるとともに、オゾン発生部３３の放電電極３３ａと対向電極３３ｂとに対して高電圧が印加される。次いで、空気砲１２，１３の放出口１２ｃ，１３ｃから空気を吸引するように送風ファン３１が駆動され、空気砲１２，１３の放出口１２ｃ，１３ｃから取り込まれた空気が、配管２１、芳香供給部２０、配管３０、送風ファン３１、配管３２を経てオゾン発生部３３に案内される。そして、オゾン発生部３３に流れ込んだ空気に対してオゾンが供給され、空気内の芳香成分が消臭された後に配管４１を介して吹き出し口４２より排出されることになる。なお、この装置消臭モードは、空気砲１２，１３、配管２１、芳香供給部２０に残留する芳香成分を消臭するまでの所定時間に渡って実行されることになる。
【００２２】
続いて、前述した芳香供給モードおよび装置消臭モードの実行手順をフローチャートに沿って説明する。ここで、図６は芳香供給モードおよび装置消臭モードの実行手順を示すフローチャートである。図６に示すように、ステップＳ１では、スイッチ操作等に応じて芳香供給部２０が第１または第２芳香供給位置に切り換えられる。続くステップＳ２では渦輪Ｖ１，Ｖ２の発射条件が成立したか否かが判定され、発射条件が成立している場合には、ステップＳ３に進み、空気砲１２，１３から所定の芳香成分を含んだ渦輪Ｖ１，Ｖ２が発射される。そして、渦輪Ｖ１，Ｖ２が発射されると、ステップＳ４では芳香供給部２０が装置消臭位置に切り換えられ、ステップＳ５ではオゾン発生部３３によってオゾンが生成され、ステップＳ６では送風ファン３１が駆動される。次いで、ステップＳ７において装置消臭モードが実行されてから所定時間が経過したか否かが判定され、所定時間が経過していない場合には、ステップＳ５に戻って装置消臭モードが継続される。一方、ステップＳ７において所定時間が経過していると判定された場合には、ステップＳ８においてオゾン発生部３３によるオゾンの生成が停止され、ステップＳ９において送風ファン３１の駆動が停止されることになる。
【００２３】
このように、空気砲１２，１３に向けてオゾンを供給するのではなく、空気砲１２，１３からオゾン発生部３３に向けて空気を吸引し、この吸引された空気に対してオゾンを供給するようにしたので、空気砲１２，１３の放出口１２ｃ，１３ｃから芳香成分を流出させることなく消臭することが可能となる。しかも、空気砲１２，１３から芳香供給部２０を介してオゾン発生部３３に空気を案内するようにしたので、空気砲１２，１３内を消臭するだけでなく芳香供給部２０も効率良く消臭することが可能となる。これにより、芳香成分を切り換えて使用する場合であっても、芳香成分を混合させずに切り換えることが可能となる。
【００２４】
また、前述した装置消臭モードは、空気砲１２，１３等に残留する芳香成分を消臭するだけでなく、オゾン濃度や送風量を適宜設定して車室内の消臭や除菌を行う車内消臭モードとして使用することも可能である。この車内消臭モードとしては、車室内に乗員がいる状態のもとで実行され、車室内に低濃度オゾンを供給する低出力モードと、車室内に乗員がいない状態のもとで実行され、車室内に高濃度オゾンを供給する高出力モードとが設定されている。
【００２５】
乗員のスイッチ操作等によって低出力モードが設定された場合には、所定時間に渡って車室内に低濃度オゾンが供給されて車室内の除菌や消臭が実行される。この低出力モードにおけるオゾン濃度としては、人体に対して影響を与えることのない濃度(例えば、０．０６ｐｐｍ以下)に設定することが望ましい。また、乗員のスイッチ操作等によって高出力モードが設定された場合には、車内カメラや赤外線センサ等によって車室内に乗員がいないと判定された後に、所定時間に渡って車室内に高濃度オゾンが供給されて車室内の除菌や消臭が実行される。この高出力モードにおけるオゾン濃度としては、十分な消臭効果や除菌効果を得ることができる濃度(例えば、０．０６ｐｐｍ以上０．１０ｐｐｍ以下)に設定することが望ましい。このように、装置消臭モードによって供給装置１０内に残留する芳香成分を消臭するだけでなく、車内消臭モードによって車室内の消臭や除菌を実行することにより、芳香成分消臭装置の有効利用を図ることができ、車両品質を向上させることが可能となる。
【００２６】
さらに、車室内にオゾンを放出する際には、供給装置１０の吹き出し口４２からオゾンを放出するようにしているが、これに限られることはなく、オゾン発生部３３を図示しないエアコンディショナの送風ダクトに対して接続することにより、送風ダクトに対してオゾンを供給するようにしても良い。これにより、車室内だけでなくエアコンディショナ内部の消臭や除菌を行うことができ、良好な車両環境を提供することが可能となる。
【００２７】
本発明は前記実施の形態に限定されるものではなく、その要旨を逸脱しない範囲で種々変更可能であることはいうまでもない。たとえば、図示する場合には、オゾン発生部３３の上流側に送風ファン３１を配置しているが、これに限られることはなく、オゾン発生部３３の下流側に送風ファン３１を配置するようにしても良い。また、空気砲１２，１３から吸引した空気をオゾン発生部３３に案内する吸引手段として送風ファン３１を設けるようにしているが、吸引手段としてはプロペラや羽根車を備える送風機に限られることはなく、ロータを回転させて空気を圧送するようにした送風機を採用するようにしても良い。
【００２８】
また、消臭手段としてオゾン発生部３３を設けるようにしているが、これに限られることはなく、消臭手段として活性炭フィルタや光触媒等を用いるようにしても良い。さらに、図示する場合には、空気砲１２，１３の砲身部１２ｄ，１３ｄに対して配管２１を接続しているが、配管２１を空気砲１２，１３のポンプ本体１２ａ，１３ａに接続しても良いことはいうまでもない。さらに、２種類の芳香成分を切り換えて使用するようにしているが、３種類以上の芳香成分を切り換えるようにしても良く、１種類の芳香成分を使用するようにしても良い。さらに、発射手段として一対の空気砲１２，１３を設けるようにしているが、３つ以上の空気砲を設けるようにしても良く、１つの空気砲を設けるようにしても良い。
【００２９】
また、図示する場合には、電動モータを駆動してロッド部材１２ｅ，１３ｅを突出させることにより、空気砲１２，１３から渦輪Ｖ１，Ｖ２を発射させるようにしているが、この構造に限られることはなく、空気砲１２，１３に対して電磁コイルと可動鉄心とを組み込むことにより、電磁力を用いて空気砲１２，１３から渦輪Ｖ１，Ｖ２を発射させるようにしても良い。さらに、空気砲１２，１３は蛇腹形状のポンプ本体１２ａ，１３ａを備えているが、ダイアフラムを用いて空気を押し出すようにしても良い。なお、空気砲１２，１３から環状の渦輪Ｖ１，Ｖ２を発射するようにしているが、空気渦の形状としては、環状に限られることはなく、まとまった形状で所定距離を飛ばすことが可能であれば、いかなる形状の空気渦であっても良い。
【図面の簡単な説明】
【００３０】
【図１】芳香成分供給装置が搭載された車両を示す説明図である。
【図２】(Ａ)および(Ｂ)は芳香成分供給装置の作動状態を示す説明図である。
【図３】(Ａ)および(Ｂ)は空気砲の内部構造を示す説明図である。
【図４】芳香成分供給装置の構成を示すブロック図である。
【図５】(Ａ)および(Ｂ)は芳香成分供給装置の作動状態を示す説明図である。
【図６】芳香供給モードおよび装置消臭モードの実行手順を示すフローチャートである。
【符号の説明】
【００３１】
１２，１３    空気砲(発射手段)
１２ｃ，１３ｃ    放出口
２０    芳香供給部(芳香供給手段)
３１    送風ファン(吸引手段)
３３    オゾン発生部(消臭手段，オゾン発生手段)
Ｖ１，Ｖ２    渦輪(空気渦)
【図１】
2008212357.tif 000003
【図２】
2008212357.tif 000004
【図３】
2008212357.tif 000005
【図４】
2008212357.tif 000006
【図５】
2008212357.tif 000007
【図６】
2008212357.tif 000008